(57)【要約】【課題】  ゴルフクラブを容易に認識でき、ゴルフバッグから取り出す場合に、識別に必要とする情報が容易に得られ、間違って取り出す、もしくは人に手渡すことを防ぐことのできるゴルフクラブ認識装置を提供する。【解決手段】フェイス部と、シャフトとを連結してなるゴルフクラブのシャフトに設ける環状のゴルフクラブ識別装置であって、外周縁に開口部が形成されてＣ字状を呈し、かつ弾性を有し、該ゴルフクラブの該シャフトに嵌着する。【選択図】  図３
0003180778.tif 000002
【実用新案登録請求の範囲】
【請求項１】
フェイス部と、シャフトとを連結してなるゴルフクラブのシャフトに設けるゴルフクラブ識別装置であって、
外周縁に開口部が形成され、弾性を有し、該ゴルフクラブの該シャフトに嵌着することを特徴とするゴルフクラブ識別装置。
【請求項２】
前記ゴルフクラブ識別装置は、環状を呈することを特徴とする請求項１に記載のゴルフクラブ識別装置。
【請求項３】
前記ゴルフクラブ識別装置は、彩色を有することを特徴とする請求項１に記載のゴルフクラブ識別装置。
【請求項４】
前記開口部の大きさは、該シャフトの該ゴルフクラブ識別装置を嵌着する位置の外径より小さいことを特徴とする請求項１に記載のゴルフクラブ識別装置。
【請求項５】
前記フェイス部と、シャフトとを連結する箇所に、該ゴルフクラブ識別装置が当止するフランジを有することを特徴とする請求項１に記載のゴルフクラブ識別装置。
【請求項６】
前記ゴルフクラブ識別装置は、外周縁に文字もしくは様々なデザインが表示可能であることを特徴とする請求項１に記載のゴルフクラブ識別装置。
【考案の詳細な説明】
【技術分野】
【０００１】
この考案はゴルフクラブに関し、特にゴルフクラブを識別するためのゴルフクラブ認識装置に関する。
【背景技術】
【０００２】
従来のゴルフクラブ１は、図１に開示するように、フェイス部２と、シャフト３とによってゴルフクラブ１を構成する。フェイス部２はゴルフボールを打撃する部分である。シャフト３の一端には、通常グリップ部を設ける。
【０００３】
また、ゴルフクラブ１をゴルフコースで使用する場合、通常複数のプレーヤーで一組になってゴルフカートなどで所定の場所に移動し、キャディーがゴルフバッグから取り出してプレーヤーに手渡す。それぞれのプレーヤーは自身のゴルフバッグを有し、ゴルフバッグ内には通常１２本の異なるナンバーのゴルフクラブ１が収納される。このため、キャディーが複数のプレーヤーのゴルフクラブ１をほぼ同時に取り出して、それぞれプレーヤーに手渡そうとすると、渡し間違いをする場合がある。
【０００４】
例えば、甲、乙、丙、丁の４名のプレーヤーが、それぞれゴルフクラブ１をゴルフバッグに収納し、かつ該ゴルフバッグを同一のゴルフカートに積んだとして、甲がキャディーに８番アイアンを手渡すように指示した場合、キャディーが間違えて乙のゴルフバッグから８番アイアンを取り出して手渡すことがある。その結果、甲、乙が気まずい思いをするのみならず、これが元で言い争いになる場合もある。
【０００５】
上述するような間違いが発生する主な原因は、異なるメーカーのゴルフクラブ１であっても、外観、色、大きさなどがほとんど似通っていることにあり、このためキャディーのゴルフクラブ１の取り扱いが慎重に欠ける場合、容易に間違える。
【０００６】
また、複数のプレーヤーが一組になってホールを回るので、プレーヤー自身でゴルフバッグを担いでいても、またはキャディーに担がせていても、同様にゴルフクラブ１を取り出す際に手違いが生じる。
【考案の概要】
【考案が解決しようとする課題】
【０００７】
そこで、この考案は、ゴルフクラブを容易に認識でき、ゴルフバッグから取り出す場合に、識別に必要とする情報が容易に得られ、間違って取り出す、もしくは人に手渡すことを防ぐことのできるゴルフクラブ認識装置を提供することを課題とする。
【課題を解決するための手段】
【０００８】
そこで、本考案者は上述するゴルフクラブを容易に取り違えるという現状に鑑み鋭意研究を重ねた結果、ゴルフクラブのシャフトに、色、文字、もしくは形状などで容易に識別できるゴルフクラブ識別装置を設けることによって課題を解決できる点に着眼し、かかる知見に基づいて、本考案を完成させた。
【０００９】
以下、この考案について具体的に説明する。
請求項１に記載するゴルフクラブ識別装置は、フェイス部と、シャフトとを連結してなるゴルフクラブのシャフトに設けるゴルフクラブ識別装置であって、
外周縁に開口部が形成され、弾性を有し、該ゴルフクラブの該シャフトに嵌着する。
【００１０】
請求項２に記載するゴルフクラブ識別装置は、請求項１におけるゴルフクラブ識別装置が環状を呈する。
【００１１】
請求項３に記載するゴルフクラブ識別装置は、請求項１におけるゴルフクラブ識別装置が彩色を有する。
【００１２】
請求項４に記載するゴルフクラブ識別装置は、請求項１における開口部の大きさを、該シャフトの該ゴルフクラブ識別装置を嵌着する位置の外径より小さくする。
【００１３】
請求項５に記載するゴルフクラブ識別装置は、請求項１におけるフェイス部と、シャフトとを連結する箇所に、該ゴルフクラブ識別装置が当止するフランジを形成する。
【００１４】
請求項６に記載するゴルフクラブ識別装置は、請求項１におけるルフクラブ識別装置が、外周縁に文字を表示できるようにするか、もしくは様々なデザインを施して識別できるようにした。
【図面の簡単な説明】
【００１５】
【図１】従来のゴルフクラブの一部外観を示した説明図である。
【図２】この考案によるゴルフクラブ識別装置を示した斜視図である。
【図３】この考案におけるゴルフクラブ識別装置の取り付け方法を示した説明図である。
【図４】ゴルフクラブ識別装置を取り付けたゴルフクラブのシャフトの断面図である。
【図５】ゴルフクラブ識別装置を取り付けたゴルフクラブの一部外観を示した説明図である。
【考案を実施するための形態】
【００１６】
この考案によるゴルフクラブ識別装置は、図２、３、４、５に開示するように、ゴルフクラブ１０に応用する。ゴルフクラブ１０は、フェイス部１１と、シャフト１２とを有し、かつフェイス部１１と、シャフト１２とを連結してなる。フェイス部１１と、シャフト１２とが連結する箇所には、フランジ１３が位置し、シャフト１２の所定の位置にゴルフクラブ識別装置２０を設ける。
【００１７】
ゴルフクラブ識別装置は、外周縁に開口部２１が形成された環状体である、Ｃ字状を呈し、かつ弾性を有する。開口部２１の大きさは、シャフト１２上のゴルフクラブ識別装置を嵌着する位置の外径より小さくする。
【００１８】
さらに、ゴルフクラブ識別装置２０は色彩を有し、色彩によって容易に認識できるようにする。
【００１９】
シャフト１２に嵌着したゴルフクラブ識別装置２０は、フェイス部１１と、シャフト１２とが連結する箇所のフランジ１３に当止して位置決めされる。
【００２０】
上述のように構成するゴルフクラブ識別装置２０は、ゴルフクラブ１に取付ける場合、
ゴルフクラブ識別装置２０の開口部２１からシャフト１２に接触させて、ゴルフクラブ識別装置２０にやや力を施すと、ゴルフクラブ識別装置２０は開口部２１が広がり、シャフト１２に嵌着する。この状態においてゴルフクラブ識別装置２０をフェイス部１１と、シャフト１２とが連結する箇所のフランジ１３に当止するように移動させ、位置決めすることによって、ゴルフクラブ認識装置２０のゴルフクラブ１０への取付けが完成し、
ゴルフクラブ識別装置２０によってゴルフクラブ１０の識別が容易になる。
【００２１】
プレーヤーの所持するゴルフクラブの全てに同一の色のゴルフクラブ識別装置２０を設け、他のプレーヤーのゴルフクラブの全てに異なる色のゴルフクラブ識別装置２０を設けることによって、容易に見分けがつく。
【００２２】
この考案によるゴルフクラブ識別装置２０は、取付けが容易であるが、それともに、ゴルフクラブ識別装置２０を設けたゴルフクラブを使用してゴルフボールを打撃する場合、シャフト１２からフェイス部１１に向って遠心力が働くことから、ゴルフクラブ識別装置２０はフランジ１３に当止して位置決めされた状態で、さらに堅牢に嵌着し、打撃の衝撃や振動で外れることがない。
【００２３】
ゴルフクラブ識別装置２０は、外周縁に文字を表示できるようにするか、もしくは様々なデザインを施して、識別できるようにしてもよい。この場合、色彩による識別と同様に好ましいゴルフクラブ識別の効果が得られる。
【００２４】
ゴルフクラブ識別装置２０を取り外す場合は、開口部２１から力を加えることによって、容易に取り外すことができる。よって、簡易な操作で容易に取り外すことができ、好ましい利便性を有する。
【００２５】
ゴルフクラブのシャフトの所定の位置に設けるゴルフクラブ識別装置は、如何なる形態であろうと、いずれもこの考案の実用新案登録請求の範囲に属する。
【符号の説明】
【００２６】
１       ゴルフクラブ
１０     ゴルフクラブ
１１     フェイス部
１２     シャフト
１３     フランジ
２       フェイス部
２０     ゴルフクラブ識別装置
２１     開口部
３       シャフト
【図１】
0003180778.tif 000003
【図２】
0003180778.tif 000004
【図３】
0003180778.tif 000005
【図４】
0003180778.tif 000006
【図５】
0003180778.tif 000007